(57)【要約】【課題】寸法形状の大きなものでも容易に製造することができ、コストの面でも有利な、外装材として用いることのできるＨ形の建築用外装材を提供すること。【解決手段】互いに平行に配置された長尺の第１の側材１１および第２の側材１２と、第１の側材と第２の側材との間に配置された長尺の中材１３とによって断面が略Ｈ形に形成されており、且つ、第１の側材、第２の側材、および中材が連結材１４によって互いに連結されており、第１の側材および第２の側材には、互いに対向する内側の面の幅方向のほぼ中央部分に凹部５３がそれぞれ設けられ、凹部５３に中材１３の両端縁部が挿入されてなる。【選択図】図１
2006225918.tif 000002
【特許請求の範囲】
【請求項１】
互いに平行に配置された長尺の第１の側材および第２の側材と、前記第１の側材と前記第２の側材との間に配置された長尺の中材とによって断面が略Ｈ形に形成されており、且つ、前記第１の側材、前記第２の側材、および前記中材が連結材によって互いに連結されており、
前記第１の側材および前記第２の側材には、互いに対向する内側の面の幅方向のほぼ中央部分に凹部がそれぞれ設けられ、前記凹部に前記中材の両端縁部が挿入されてなる、
ことを特徴とする建築用外装材。
【請求項２】
前記第１の側材および前記第２の側材は、アルミニウム合金の押し出し成形によって中空状に形成されており、
前記中材は、アルミニウム合金によって板状に形成されてなる、
請求項１記載の建築用外装材。
【請求項３】
前記連結材は、前記第１の側材の内側の面に沿う第１の壁部、前記第２の側材の内側の面に沿う第２の壁部、および前記中材の一方の面に沿う中壁部によって断面略コ字形に形成されており、
前記連結材の各壁部がそれぞれに対向する部分と固着されることによって連結されて一体化されてなる、
請求項１または２記載の建築用外装材。
【請求項４】
前記第１の側材および前記第２の側材には、それぞれ、前記凹部に隣接する位置から内側に突出する板状のフランジ部が形成されており、
前記フランジ部は、前記中材と前記連結材とによって挟まれて配置され、前記フランジ部、前記中材、および前記連結材がボルトによって互いに固着されてなる、
請求項３記載の建築用外装材。
【請求項５】
前記第１の側材および前記第２の側材の少なくともいずれか一方には、前記連結材の前記第１の壁部または前記第２の壁部に沿って外方に延びる連結用壁部が設けられ、
前記連結材の前記第１の壁部および前記第２の壁部の少なくともいずれか一方の端部は、前記連結用壁部と対向するように外方に延びており、前記端部が当該建築用外装材を建築構造材に固定するための連結部となっている、
請求項３または４記載の建築用外装材。
【発明の詳細な説明】
【技術分野】
【０００１】
本発明は、主として建築物などの外装材として用いられる建築用外装材に関する。
【背景技術】
【０００２】
従来より、建築物の構造用材料としてＨ形綱がしばしば用いられる。Ｈ形綱は、鋼鉄製であって構造用材料として充分な機械的強度を備えており、建築物の柱や梁などに用いられる。Ｈ形綱は、通常は建築物の内部に配置され、その外観が外からは見えないように外装材によって隠されるが、建築物の外周に配置され、外装材として表面に現れる場合もある。Ｈ形綱を建築物の外周に配置する場合には、充分な防錆処理を施した後、Ｈ形綱が建築物の全体の外観と調和するように且つ観賞に耐えるように充分な塗装を施すか、または表面を装飾材などで覆う必要がある。
【０００３】
しかし、鋼鉄製のＨ形綱を外装材として用いるには、そのような表面処理または装飾が大変であり、また重量も大きいので、これに代えてアルミニウム合金によってＨ形に形成した建築用外装材が提案されている（特許文献１）。
【特許文献１】特開２００２−２９４９７８
【発明の開示】
【発明が解決しようとする課題】
【０００４】
しかし、上に述べた従来の建築用外装材は、アルミニウム合金であるために鋼鉄製のＨ形綱よりも軽量ではあるものの、寸法形状の大きなものを製造することが難しく、また製造コストの面で不利である。
【０００５】
すなわち、アルミニウム合金によってＨ形材を製造するには、押し出し成形によるのが通常であるが、金型および製造設備の面から寸法形状の大きさに限界がある。金型が大きくなればそれだけ金型コストが高くなり、またアルミニウム合金の使用量が増えて材料コストが高くなる。
【０００６】
本発明は、上述の問題に鑑みてなされたもので、寸法形状の大きなものでも容易に製造することができ、コストの面でも有利な、外装材として用いることのできるＨ形の建築用外装材を提供することを目的とする。
【課題を解決するための手段】
【０００７】
本発明に係る建築用外装材は、互いに平行に配置された長尺の第１の側材および第２の側材と、前記第１の側材と前記第２の側材との間に配置された長尺の中材とによって断面が略Ｈ形に形成されており、且つ、前記第１の側材、前記第２の側材、および前記中材が連結材によって互いに連結されており、前記第１の側材および前記第２の側材には、互いに対向する内側の面の幅方向のほぼ中央部分に凹部がそれぞれ設けられ、前記凹部に前記中材の両端縁部が挿入されてなる。
【０００８】
好ましくは、前記第１の側材および前記第２の側材は、アルミニウム合金の押し出し成形によって中空状に形成されており、前記中材は、アルミニウム合金によって板状に形成されてなる。
【０００９】
また、前記連結材は、前記第１の側材の内側の面に沿う第１の壁部、前記第２の側材の内側の面に沿う第２の壁部、および前記中材の一方の面に沿う中壁部によって断面略コ字形に形成されており、前記連結材の各壁部がそれぞれに対向する部分と固着されることによって連結されて一体化されてなる。
【００１０】
また、前記第１の側材および前記第２の側材には、それぞれ、前記凹部に隣接する位置から内側に突出する板状のフランジ部が形成されており、前記フランジ部は、前記中材と前記連結材とによって挟まれて配置され、前記フランジ部、前記中材、および前記連結材がボルトによって互いに固着されてなる。
【００１１】
また、前記第１の側材および前記第２の側材の少なくともいずれか一方には、前記連結材の前記第１の壁部または前記第２の壁部に沿って外方に延びる連結用壁部が設けられ、前記連結材の前記第１の壁部および前記第２の壁部の少なくともいずれか一方の端部は、前記連結用壁部と対向するように外方に延びており、前記端部が当該建築用外装材を建築構造材に固定するための連結部となっている。
【発明の効果】
【００１２】
本発明によると、寸法形状の大きなものでも容易に製造することができ、コストの面でも有利な、外装材として用いることのできるＨ形の建築用外装材を提供することができる。
【発明を実施するための最良の形態】
【００１３】
図１は本発明の実施形態に係る建築用外装材３の断面図、図２は図１に示す建築用外装材３の左側面図、図３は建築用外装材３の一部を拡大して示す図、図４は建築用外装材３の使用状態の例を示す斜視図である。なお、図２は、複数の建築用外装材３，３を連結した場合の連結部分を示す。
【００１４】
図１〜図３において、建築用外装材３は、２つの側材１１，１２、中材１３、および連結材１４からなる。
【００１５】
２つの側材１１，１２は、それぞれ、幅寸法に対して長さ寸法が大きい長尺のものであり、アルミニウム合金の押し出し成形によって中空状に形成され、互いに平行に配置されている。
【００１６】
図１〜図３に示す２つの側材１１，１２は、その断面形状が互いに線対称となっているが、これは、断面形状が互いに同じものを長手方向を逆にして用いている。つまり、これら２つの側材１１，１２は基本的には同一のものであるので、以降において、その構造については一方のみについて説明する。
【００１７】
側材１１は、表面を形成する４つの表面壁５１ａ，５１ｂ，５１ｃ，５１ｄによって外観がほぼ板状となっている。表面壁５１ａ〜ｄの中は中空になっており、３つの隔壁５２ａ，５２ｂ，５２ｃによって仕切られている。互いに対向する面である内側の面を形成する表面壁５１ｃには、その幅方向のほぼ中央部分に、中材１３の両端縁部を挿入するための凹部５３が、その全長にわたって設けられている。隔壁５２ｂは、凹部５３を形成する１つの面を兼ねている。
【００１８】
また、表面壁５１ｃは、凹部５３を境界にして段差が設けられており、隔壁５２ａの幅寸法（側材１１の厚さ寸法）よりも隔壁５２ｃの幅寸法の方が大きくなっている。表面壁５１ｃには、隔壁５２ｂの延長上に、表面壁５１ｃに対して垂直に突出する板状のフランジ部５４が形成されている。なお、表面壁５１ｃについて、凹部５３を境界として、隔壁５２ａの側にある部分を「表面壁５１ｃＡ」、隔壁５２ｃの側にある部分を「表面壁５１ｃＣ」ということがある。
【００１９】
さらに、表面壁５１ｃは表面壁ｄの側において外方に延びており、そこに連結用壁部５１ｅが設けられている。
【００２０】
なお、側材１１，１２は押し出し成形によって形成されるので、表面壁５１ａ〜ｄ、隔壁５２ａ〜ｃなどはそれぞれ互いに平行である。また、図２に示すように、中空部には、必要に応じて、その両端部に防水および防湿のためのコーキング材ＫＺが詰め込まれる。コーキング材ＫＺを詰め込むに当たっては、その前に発泡ウレタンなどによる適当なバックアップ材ＢＺが挿入され、接着剤や摩擦などによって係止される。
【００２１】
中材１３は、アルミニウム合金によって側材１１，１２の長さと同じ長さの帯板状に形成されたものである。中材１３は、例えば適当な板材を切断することによって形成するか、または押し出し成形によって形成する。中材１３には、幅方向の両端部の近辺であって長さ方向に適当なピッチで、スタッドボルト６１，６１…が溶接によって固着されている。中材１３は、その両端縁部が側材１１，１２のそれぞれの凹部５３，５３に挿入され、且つ、一方の表面がフランジ部５４の表面に接触した状態に配置される。なお、フランジ部５４には、スタッドボルト６１が貫通するための穴が設けられている。
【００２２】
連結材１４は、側材１１，１２のそれぞれの表面壁５１ｃＣの面に沿う壁部６５ａ，６５ｂ、および中材１３の一方の面に沿う中壁部６５ｃによって断面略コ字形に形成されている。連結材１４は、例えば鋼板をプレスなどで折り曲げることによって形成される。
【００２３】
連結材１４の中壁部６５ｃは、その両端部においてフランジ部５４，５４を挟んだ状態で、中材１３と対向する。つまり、中壁部６５ｃと中材１３との間には、フランジ部５４の厚さに相当する間隙ＫＧが形成される。
【００２４】
連結材１４の中壁部６５ｃには、上に述べたスタッドボルト６１が貫通するための穴が設けられている。また、壁部６５ａ，６５ｂの適当な箇所には、表面壁５１ｃＣまたは連結用壁部５１ｅとの間でボルトによって連結するための挿通穴またはネジ穴が適所に設けられている。例えば、壁部６５ａ，６５ｂの連結用壁部５１ｅに対向する部分には、ボルト５５をネジ込むためのネジ穴が設けられている。また図示はされていないが、壁部６５ａ，６５ｂの表面壁５１ｃＣに対向する部分に穴を設け、壁部６５ａ，６５ｂから表面壁５１ｃＣに向かってボルトをネジ込んで連結してもよい。
【００２５】
このように、連結材１４の壁部６５ａ，６５ｂおよび中壁部６５ｃが、それぞれに対向する部分と、スタッドボルト６１、ナット６２、その他のボルト、ビス、リベットなどによって固着されることによって、建築用外装材３が全体として一体化されている。このように一体化された状態の断面は、図１に示すように略Ｈ形となっている。
【００２６】
また、連結材１４の壁部６５ａ，６５ｂの連結用壁部５１ｅに対向する部分は、建築用外装材３を建築構造材に固定するための連結部を兼ねている。つまり、その部分に、建築構造材に連結するためのアングル形鋼などからなるブラケットＢＫをボルトや溶接などで固定することが可能である。その場合に、連結材１４と連結用壁部５１ｅとを固定するボルトを用いてブラケットＢＫのアングル形鋼を共締めにしてもよい。
【００２７】
なお、側材１１，１２および中材１３の表面には、アルマイト処理を施す。または、電解着色処理を行ってもよい。塗装を行うことも可能である。
【００２８】
建築用外装材３の寸法の一例を挙げると、側材１１，１２の幅が１００〜４００ｍｍ程度、具体的には例えば２００ｍｍ程度、側材１１，１２の外表面間の寸法が１００〜４００ｍｍ程度、具体的には例えば２５０ｍｍ程度、長さは３〜６ｍ程度、具体的には例えば４ｍ程度である。側材１１，１２の表面壁５１ａと表面壁５１ｃＡとの外表面間の寸法は例えば１５ｍｍ程度、表面壁５１ａと表面壁５１ｃＣとの外表面間の寸法は例えば２７ｍｍ程度である。表面壁５１ａ〜ｄ、連結用壁部５１ｅ、隔壁５２ａ〜ｃ、およびフランジ部５４の厚さは、それぞれ１．５〜３ｍｍ程度である。中材１３の厚さは２〜４ｍｍ程度である。連結材１４の厚さは２〜３ｍｍ程度、具体的には例えば２．３ｍｍの鋼板を用いる。
【００２９】
また、スタッドボルト６１として、例えばＭ６のネジを用い、長さ方向の配置ピッチを例えば１５０〜３００ｍｍ程度とする。連結材１４と表面壁５１ｃＣとを固定するビスは、例えばＭ４のネジを用い、長さ方向の配置ピッチを例えば１５０〜３００ｍｍ程度とする。
【００３０】
側材１１，１２は、押し出し成形で製作した場合に、通常、４〜６ｍの長さのものを製作可能であるが、中材１３および連結材１４は、板材から切り出した場合に、元の板材の寸法に応じて最大長さが決まる。したがって、中材１３および連結材１４については、１本の側材１１，１２に対して複数枚を長さ方向に繋ぎ合わせることとなる。その場合に、中材１３と連結材１４の継ぎ目が一箇所で重ならないようにする。
【００３１】
上に述べた実施形態の建築用外装材３は、図１の矢印Ｍ１方向から見える部分が外表面に出るように配置する。そうすると、建築用外装材３は、複数の部材によって構成されているにも係わらず、全体としてアルミニウム合金からなる一体のＨ形綱のように見える。アルミニウム合金からなるので、装飾効果があり、見栄えがよく、高級感を与えることができる。特に、中材１３の両端縁部が側材１１，１２の凹部５３，５３に挿入されているので、それらの間の一体感が損なわれることなく、一見しただけでは複数の部材からなることは分からない。また、中材１３と連結材１４との連結にスタッドボルト６１を用いているので、中材１３の外表面側にボルトの頭部などが現れることがない。
【００３２】
側材１１，１２は、外観が厚みがあって重厚感を与えることができる。しかも、中が中空であるので、重量が軽く、運搬および組み付け作業が容易であるとともに、材料コストが安くつく。同じものを側材１１，１２として使用できるので、金型が１個で済み、側材１１，１２の生産管理や在庫管理も容易である。建物の構造部材に対しては、連結材１４と連結用壁部５１ｅとによって充分に強固に連結し固定することができる。なお、建築用外装材３は、構造用材料ではないので、大きな機械的強度を必要としない。したがって、側材１１，１２を中空とし全体を軽量に構成しても問題ない。
【００３３】
建築用外装材３を建築物に組み付けるに際し、複数の建築用外装材３，３…を長さ方向に連結するには次のようにすればよい。
【００３４】
すなわち、図２に示すように、２つの建築用外装材３，３を、それぞれの端部の間に適当な間隙ＫＧ２があくように配置し、中壁部６５ｃと中材１３との間の間隙ＫＧに挿入した連結板材１５によって位置ずれが起こらないように位置合わせをする。連結板材１５は、アルミニウム合金などからなり、間隙ＫＧに挿入可能な板厚の板材である。連結板材１５は、建築用外装材３，３を連結する前に、予め接着剤などによってその一方の建築用外装材３の間隙ＫＧに挿入して固着しておき、建築現場において他方の建築用外装材３の間隙ＫＧに挿入して連結する。
【００３５】
また、２つの建築用外装材３，３を連結する際に、直線状に連結するのでなく、例えば互いに垂直になるように連結してもよい。その場合には、２つの建築用外装材３，３の端部を４５度の角度にカットしておき、そこに連結板材１５を差し込んで位置決めしまたは連結してもよい。
【００３６】
このように、本実施形態の建築用外装材３は、建築用外装材３それ自体を工場で能率的に精度よく製作しておくことができ、しかも複数の建築用外装材３，３を建築現場で容易に連結して建物に組み付けることができる。
【００３７】
次に、建築用外装材３の建物への使用例について説明する。
【００３８】
図４には、建物ＴＭの１階部分から３階部分の途中までが示されている。建物ＴＭの角部には、上に述べたと同じ建築用外装材３ａ，３ｂ，３ｃ…が、縦方向（鉛直方向）に直線状に配置されている。これら建築用外装材３ａ〜ｃは、図において表面壁５１ａが正面に見えている。建築用外装材３ａ〜ｃの右方には、例えばアルミスパンドレルＳＤが外装材として張られている。また、玄関ＧＫの外の上方において、３階部分以上が張り出しており、２階部分の天井の位置においてその端部に、建築用外装材３ｄが見切りとして配置されている。建築用外装材３ｄは、図において表面壁５１ｂおよび中材１３が正面に見えている。
【００３９】
このように、本実施形態の建築用外装材３は、建築物の外周または内装の種々の部分に使用することができる。例えば、建物の外壁の縦見切りまたは横見切り、コーニス、その他の種々の部分に使用することができる。
【００４０】
上に述べた実施形態において、建築用外装材３は略Ｈ形であればよく、各部の形状寸法は上に述べたものに限ることはない。例えば、側材１１と側材１２とを互いに異なる形状としてもよい。その場合に、例えば、一方の側材１２の表面壁５１ｃＣの幅を他方よりも小さくしてもよい。例えば、図１に示す建築用外装材３において、側材１２の表面壁５１ｄおよび表面壁５１ａ，５１ｃの隔壁５２ｃよりも外側の部分を除去した形状、さらに、隔壁５２ｂと隔壁５２ｃとの間隔をより一層短くした形状などとしてもよい。
【００４１】
上に述べた実施形態において、表面壁５１ｃに段差を設けたが、段差がないものであってもよい。凹部５３を表面壁５１ｃの幅方向のほぼ中央部分に設けたが、いずれか一方の側に偏っていてもよい。凹部５３の形状寸法は、中材１３の形状寸法または材質などに応じて種々のものとすることができる。連結材１４は、側材１１，１２の長さ方向の全体にわたって連続的に設けることなく、断続的に設けてもよい。
【００４２】
その他、建築用外装材３の全体または各部の構造、形状、寸法、材質、個数、固定方法などは、本発明の趣旨に沿って適宜変更することができる。
【産業上の利用可能性】
【００４３】
本発明は、建築物の外壁の縦見切りまたは横見切り、その他の建築用外装材として利用可能である。
【図面の簡単な説明】
【００４４】
【図１】本発明の実施形態に係る建築用外装材の断面図である。
【図２】図１に示す建築用外装材の左側面図である。
【図３】建築用外装材の要部を拡大して示す図である。
【図４】建築用外装材の使用状態の例を示す斜視図である。
【符号の説明】
【００４５】
３  建築用外装材
１１，１２  側材（第１の側材、第２の側材）
１３  中材
１４  連結材
１５  連結板材
５１ｃ  表面壁（第１の側材の内側の面、第２の側材の内側の面）
５１ｅ  連結用壁部
５３  凹部
５４  フランジ部
６１  スタッドボルト（ボルト）
６５ａ，６５ｂ  壁部（第１の壁部、第２の壁部）
６５ｃ  中壁部
【図１】
2006225918.tif 000003
【図２】
2006225918.tif 000004
【図３】
2006225918.tif 000005
【図４】
2006225918.tif 000006